【事件の表示】
　特願２０１０−２０８６４８号「外科用ステープリング装置」拒絶査定不服審判事件〔平成２３年　２月２４日出願公開、特開２０１１−３６６８６号、請求項の数（７）〕について、次のとおり審決する。
【結　論】
　原査定を取り消す。
　本願は、特許すべきものとする。
【理　由】
１　手続の経緯
　本願は、２００４年６月２１日（パリ条約による優先権主張２００３年６月２０日、米国）を国際出願日とする特願２００６−５１７４８４号の一部を平成２２年９月１６日に新たな特許出願としたものであって、平成２５年６月１３日付けで拒絶査定がされ、これに対し、平成２５年９月２７日に拒絶査定不服審判の請求がされ、同時に手続補正がされたものである。
　
２　本願発明
　本願の請求項１〜７に係る発明は、平成２５年９月２７日付けの手続補正で補正された特許請求の範囲の請求項１〜７に記載された事項により特定される、以下のとおりのものである（請求項１〜７に係る発明を本願発明１〜本願発明７という。）。
「【請求項１】
内痔核を治療するためのキットであって、該キットは、
　ハンドル組立体と、該ハンドル組立体から遠位方向に延びる本体部分と、アンビル保持具を含む接近機構と、複数のステープルを含むシェル組立体と、アンビルヘッドおよびアンビルセンターロッドを備えるアンビルセンターロッド組立体を備えるアンビル組立体であって、該アンビルヘッドが該アンビルセンターロッド組立体に枢動自在に取り付けられ、該アンビル保持具に取り外し自在に取り付け可能なアンビル組立体と、該アンビルヘッドを該アンビルセンターロッド組立体に対して、作動発射位置と傾斜位置との間で枢動するための手段であって、該傾斜位置で該アンビルヘッドが低輪郭を提示し、患者の内側から該装置の通過を容易にする手段と、
　該シェル組立体内に支持される該複数のステープルを、該作動発射位置にある該アンビルヘッドとの接触に進行させる遠位方向に移動可能な発射機構と、
　該発射機構と協働し、該発射機構が該ステープルを発射するために遠位方向に移動した後、該アンビルセンターロッド組立体への枢動取り付けにより該傾斜位置への該アンビルヘッドの枢動を可能にする手段とを含む外科用ステープリング装置と、
　該アンビル組立体に取り外し自在に取り付け可能なアンビル組立体挿入用ハンドル、とを備え、該挿入用ハンドルは、握りノブ、該ノブから遠位方向に延びる実質的に剛体のシャフト、および前記アンビルセンターロッド内に形成された開口部内に受け入れられるように構成された移動止めを含む、キット。
　　【請求項２】
前記センターロッドは、長手方向孔を備えるセンターロッドを含み、前記アンビル保持具は、該センターロッドの該長手方向孔内に入れ子式に受け入れられるような寸法を有する細長遠位延長部分を含む、請求項１に記載のキット。
　　【請求項３】
前記細長遠位延長部分は、内痔核を治療するための手技中に手術部位の可視性を妨げることのない前記アンビル保持具の該細長遠位延長部分と前記アンビル組立体の前記センターロッドとの入れ子式嵌まり合いを許容する長さである、請求項２に記載のキット。
　　【請求項４】
前記アンビルセンターロッドと前記細長遠位延長部分の組み合わされた長さは約４．５インチより大きい、請求項２または３のいずれかに記載のキット。
　　【請求項５】
チャネル、鈍い先端、および半環状フランジを規定する半円筒状本体を有する検鏡をさらに含む、請求項１〜４のいずれかに記載のキット。
　　【請求項６】
前記半環状フランジは、少なくとも１つのフィンガタブを含む、請求項５に記載のキット。
　　【請求項７】
前記細長遠位延長部分は、前記アンビル保持具の近位部分の直径よりも小さい直径を有する、請求項２〜６のいずれかに記載のキット。」
　
３　刊行物の記載事項
（１）原査定の拒絶の理由に引用された特開平９−２８９９９０号公報（以下、「引用文献１」という。）には、図面と共に次の事項が記載されている。
（イ）「【０００１】【発明の属する技術分野】この発明は、生体の管腔臓器（腸管、食道等）の外科手術において用いる医療用縫合器に関する。」
（ロ）「【００１３】【発明の実施の形態】以下、この発明の各実施の形態を図面に基づいて説明する。図１〜図８は第１の実施形態を示すものであり、図１（ａ）は医療用縫合器１の全体構成を示す。この医療用縫合器１の本体２は、操作部３と、この操作部３の遠位端方向に延長する挿入部４とから構成されている。挿入部４の先端に着脱可能なアンビルヘッド５が設けられている。操作部３には回転ノブ６と、レバー７と、スライドスイッチ８とが設けられており、・・・。
【００１４】図１（ｂ）は挿入部４の先端構成を示し、アンビルヘッド５が挿入部ヘッド９に装着されている。・・・」
（ハ）「【００１５】図２（ａ）〜（ｃ）に示すように、挿入部４の先端には後述するアンビルシャフト１２を挿入部４の先端に装着する際の案内を果たす、中心に配置されたトラカール１４と、トラカール１４を覆う筒状のトラカールスリーブ１５と、トラカールスリーブ１５の外周部に軸方向にすり割りを形成することにより形成した外側に広がる板ばね１６とが設けられている。
【００１６】そして、トラカールスリーブ１５と板ばね１６は基端部がトラカール１４に固定されている。また、板ばね１６の遠位端には内側に突出するラッチ１７が設けられている。・・・」
（ニ）「【００１７】図２（ｂ）に示すように、前記挿入部ヘッド９にはステープル１９を収容した複数のステープルチャンネル２０が環状に配置されている。また、図２（ｃ）に示すように、挿入部ヘッド９にはステープル１９を直接打ち出す複数の棒状突起２３ａを有したステープルプッシャー２３が設けられ、棒状突起２３ａは環状に配置されたそれぞれのステープルチャンネル２０内に挿入されている。このステープルチャンネル２０を形成するステープルチャンネルケーシング２２の内側には円筒状の円筒カッター２１がステープルプッシャー２３に固定された状態で配置されている。」
（ホ）「【００１８】図３（ａ）に示すように、操作部３の内部には中心に、ロッド２４が配置され、このロッド２４の手元側に配置されたロッドネジ２４ａが回転ノブ６（図１参照）に設けられた回転ネジ２５にねじ込まれている。ロッド２４の一部には安全ガイド２７と、ロッド溝２４ｂと、遠位端にはトラカール駆動部材２８が固定され、安全ガイド２７の遠位端側には遠位端エッジ２７ａが設けられている。」
（ヘ）「【００２２】・・・また、挿入部ヘッド９へ装着されるアンビルヘッド５にはステープル１９を変形させる溝１１ａ（図２（ａ）参照）を持つアンビル１１と、アンビルヘッド５をトラカール１４に連結するための筒状のアンビルシャフト１２と、アンビルシャフト１２の近位端側にはラッチ１７と係脱自在な円形断面溝１３（図２（ｃ）参照）とが設けられている。」
（ト）「【００２３】次に、前述のように構成された医療用縫合器の作用について説明する。生体の管腔臓器、例えば腸管の一端へアンビルヘッド５を挿入し、巾着縫合をアンビルシャフト１２の外周部に施し（図示せず）、また、本体２の挿入部４が挿入された腸管の他端をアウタースリーブ１８の外周部に同様に巾着縫合を施す。
【００２４】その後、アンビルシャフト１２をトラカール１４をガイドとしてトラカールスリーブ１５内へ挿入すると、板ばね１６が外側に撓んで、円形断面溝１３へラッチ１７が係合する（図４参照）。・・・」
（チ）「【００２６】次に、操作部３の回転ノブ６を回転させると、ロッド２４がロッドネジ２４ａと回転ネジ２５の作用により、徐々に手元側へ引き寄せられる。ロッド２４の遠位端にはトラカール駆動部材２８が固定されているため、挿入部ヘッド９側へアンビルヘッド５が引き寄せられる。・・・」
（リ）「【００２８】次にレバー７を握ると、ピン３４を中心にトリガー３３が回転し、トリガー端部３３ａがトリガー受け３７を遠位端方向に移動させる。したがって、ステープル駆動部材３６、ステープルプッシャー２３、棒状突起２３ａへと圧縮力が伝わり、ステープル１９がステープルチャンネル２０より突き出し、アンビル１１に設けられた溝１１ａによりステープル１９が変形し、これと同時に円筒カッター２１がステープルラインより内側の余分を組織を切離して吻合が完了する（図７参照）。」
（ヌ）「【００２９】アンビルヘッド５を挿入部ヘッド９へ引き寄せる最中、または、アンビルヘッド５とを挿入部ヘッド９間の距離調整終了後等のアンビルヘッド５が任意の位置において、操作部３のスライドスイッチ８を手元側へ引くと、スライドラッチ８ａがロッド溝２４ｂより外れ、アウタースリーブ駆動部材３２が手元側へ引き寄せられる。
【００３０】このため、板ばね１６を覆っていたアウタースリーブ１８が手元側へ移動し、板ばね１６が外側へ撓める状態となり、挿入部ヘッド９よりアンビルヘッド５が取り外すことができ、再度アンビルヘッド５を装着できる（図８参照）。」
　
　記載事項（チ）から、引用文献１の医療用縫合器１は、トラカール１４とトラカール１４を覆う筒状のトラカールスリーブ１５とを挿入部ヘッド９に接近するように駆動する機構を有するものである（以下、当該機構を「トラカール１４とトラカール１４を覆う筒状のトラカールスリーブ１５を含むトラカール駆動機構」という。）。
　記載事項（ト）と（ヌ）から、アンビルヘッド５はトラカール１４とトラカール１４を覆う筒状のトラカールスリーブ１５に取り外すことができるように装着できるものである。
　記載事項（ニ）、（リ）及び図２の記載を併せてみて、引用文献１の医療用縫合器１は、挿入部ヘッド９内に収容される複数のステープル１９を、挿入部ヘッド９側へ引き寄せられたアンビル１１に向けて突き出すように遠位端方向に移動させるステープル突き出し機構を有するものである。
　
　これらの記載事項及び図示内容を総合して整理すると、引用文献１には、次の発明（以下、「引用発明」という。）が記載されている。
　
「操作部３と、該操作部３から遠位端方向に延長する挿入部４と、トラカール１４とトラカール１４を覆う筒状のトラカールスリーブ１５を含むトラカール駆動機構と、複数のステープル１９を収容する挿入部ヘッド９と、アンビル１１および筒状のアンビルシャフト１２を備えるアンビルヘッド５であって、該トラカール１４とトラカール１４を覆う筒状のトラカールスリーブ１５に取り外すことができるように装着できるアンビルヘッド５と、
　該挿入部ヘッド９内に収容される該複数のステープル１９を、挿入部ヘッド９側へ引き寄せられた該アンビル１１に向けて突き出すように遠位端方向に移動させるステープル突き出し機構とを含む管腔臓器の外科手術において用いる医療用縫合器１。」
　
（２）同じく拒絶理由通知において引用された、米国特許第５５８８５７９号明細書（以下、「引用文献２」という。）には、図面と共に次の事項が記載されている（仮訳として特開平８−６６４０６号公報を援用する。）。
（ル）「In FIG. 1, pivotable anvil assembly 100 is shown spaced from fastener head portion 22 and includes anvil 102 secured to a distal portion of shaft 104. The proximal portion of shaft 102 is adapted to be secured to anvil shaft connecting member 26 (FIG. 2)」（明細書第４欄第３８〜４３行）（図１において、回動可能なアンビル組立体１００は、ファスナ頭部２２から離間しており、軸１０４の遠位端部分に固定されたアンビル１０２を含む。軸１０４の近位端部分は、アンビル軸接続部材２６に固定されるようになっている（図２）。（第８欄２０〜２４行））
（ヲ）「Referring now to FIGS. 3 and 4, various components of the pivoting anvil assembly 100 are shown in detail. In FIG. 3, anvil shaft 104 extends proximally and substantially perpendicular from a plane defined by staple forming surface 112 of anvil 102. Anvil 102 includes post member 106 which extends proximally and substantially perpendicular from a central portion of anvil 102. When longitudinally aligned, both post 106 and shaft 104 extend along a common longitudinal axis X--X which preferably passes through a central portion of anvil 102. The distal portion of shaft 104 is pivotally secured to post member 106 by pivot pin 108. Other structures that permit pivotal movement are also contemplated, i.e., hinges. Spring member 110 is disposed between the distal portion of shaft 104 and anvil 102, the purpose of which is described in greater detail, below.」（明細書第４欄第５４行〜第５欄第２行）（次に図３及び図４を参照すると、回動アンビル組立体１００の種々の構成要素が詳細に示されている。図３では、アンビル軸１０４は、アンビル１０２のステープル成形面１１２により構成される平面から略垂直に、近位方向に延びる。アンビル１０２は、アンビル１０２の中央部分から略垂直に近位方向に延びる支柱部材１０６を含む。長手方向に心合わせすると、支柱１０６と軸１０４とは、好ましくはアンビル１０２の中央部分を通過する、共通の軸線Ｘ−Ｘに沿って延びる。軸１０４の遠位部分は、ピボットピン１０８を介して、支柱部材１０６に回動可能に固定されている。回動させ得る他の構造、即ちヒンジ等を用いてもよい。軸１０４の遠位端部分とアンビル１０２との間には、ばね部材１１０が配置されているが、その目的は後に詳述する。（第８欄第３４〜４７行））
（ワ）「In the locked position, retaining member 122 holds shaft 104 in a substantially perpendicular position with respect to anvil 102, thereby preventing rotation of shaft 104 (or anvil 102, depending on the frame of reference) about pin 108. 」（明細書第５欄第５４〜５８行）（係止位置において、係止部材１２２は、アンビル１０２に対して略垂直位置で軸１０４を保持し、それにより、ピン１０８を中心とした軸１０４（或いは、準拠体系に応じて、アンビル１０２）の回転を防いでいる。（第１０欄第２〜６行））
（カ）「FIG. 9 illustrates the state of the surgical apparatus after completion of the firing stroke. ・・・（中略）・・・ Release pushers 36 have pushed retaining member 122 a sufficient distance so that projections 134 are disengaged with the distal end of shaft 104. In this position, anvil 102 is now free to rotate with respect to anvil shaft 104, however, fastener head portion 22 prevents such rotation while anvil 102 is adjacent thereto.（明細書第６欄第６２行〜第７欄第７行）（図９は、打ち出し行程の完了後のステープラの状態を示す。・・・（中略）・・・解放プッシャ３６は、係止部材１２２ａを十分な距離押し、その結果、突出部材１３４は、軸１０４の遠位端部分から外れる。この位置では、アンビル１０２は、アンビル軸１０４に対して回動自在であるが、ファスナ頭部２２は、アンビル１０２がそれに隣接している間、かかる回転を防止する。（第１１欄第２５〜３６行））
（ヨ）「With reference to FIGS. 2 and 10, after firing, anvil adjustment member 16 can be rotated to move anvil assembly 100 away from fastener head portion 22. Upon sufficient distal movement of the assembly, spring 110 pivotally biases anvil 102 relative to anvil shaft 104. Pivoting or tilting occurs as spring 110 expands and forces the distal end of anvil shaft 104 out from between arms 158 of post 106. The biasing action causes post 106 to pivot about pin 108. When anvil 102 is biased, it moves from a first position, wherein the plane defined by staple forming surface 112 is substantially perpendicular to the longitudinal axis of anvil shaft 104, to a second position, wherein the staple forming surface plane is off-set from the first position. In the tilted position, a lower profile is presented than in the non-titled position and the instrument is readily withdrawn through the anastomotic site. While it is preferable to have a biasing member to facilitate tilting, tilting can also occur upon removal without a biasing member.」（明細書第７欄第１４〜３１行）（図２及び図１０を参照すると、打ち出し後、アンビル調節部材１６は、回転して、アンビル組立体１００をファスナ頭部２２から離れる方向に移動させる。組立体が十分に遠位方向に移動すると、ばね１１０は、アンビル軸１０４に対してアンビル１０２を回動付勢する。ばね１１０が延びて、アンビル軸１０４の遠位端部分を付勢して支柱１０６のアーム１５８の間から外すと回動又は傾斜が生じる。この付勢作用により、支柱１０６がピン１０８を中心に回動する。アンビル１０２が付勢されると、アンビルは、ステープル成形面１１２により構成される平面がアンビル軸１０４の軸線に対して略垂直である第１の位置から、ステープル成形面が第１の位置からずれた第２の位置まで、移動する。傾斜位置では、非傾斜位置より側面が減少し、ステープラは容易に吻合箇所を通って撤収することができる。傾斜を容易にするために付勢部材を有することは好ましいが、付勢部材無しでも除去時には傾斜が生じる。（第１１欄第４４行〜第１２欄第１０行））
　
　これらの記載事項及び図示内容を総合すると、引用文献２には、次の事項が記載されている。
　アンビル１０２がアンビル軸１０４、ピボットピン１０８等含むアンビル軸組立体に回動可能に固定され、該アンビル１０２を該アンビル軸組立体に対して、ステープル成形面１１２により構成される平面がアンビル軸１０４の軸線に対して略垂直である第１の位置と第１の位置からずれた第２の傾斜位置との間で回動又は傾斜するための構造であって、該第２の傾斜位置で該アンビル１０２が非傾斜位置より側面が減少し、ステープラは容易に吻合箇所を通って撤収することができる構造、及び、ステープラの打ち出し行程の完了後、該アンビル軸組立体への回動又は傾斜自在な固定により該第２の傾斜位置への該アンビル１０２の回動又は傾斜を可能にする構造を備えている点。
　
（３）同じく拒絶理由通知において引用された、国際公開第０２／０８０７８１号（以下、「引用文献３」という。）には、図面と共に次の事項が記載されている（仮訳として特表２００４−５２４１２１号公報を援用する。）。
（タ）「Accordingly, as firing trigger 20 is moved distally, pusher link 74 is moved distally to effect advancement of pusher back 186 within shell assembly 31. Fingers 190 of pusher back 186 engage and eject staples 230 from staple guide 192.　
 Cylindrical knife 188 is moved concurrently with pusher back 186 such that knife 188 moves into engagement with cutting ring 128 and backup plate 126. As discussed above, cutting ring 128 is preferably formed from polyethylene and backup plate 126 is preferably formed from metal. When knife 188 engages cutting ring 128, it cuts through cutting ring 128 and pushes backup plate 126 deeper into anvil head 124 to move tabs 150 from engagement with top surface 154a of center rod 154 (FIG. 16B). Anvil head 124 is now free to pivot about member 164 and is urged to do so by plunger 156 (FIG. 24F). It is noted that because the anvil assembly is in juxtaposed alignment with shell assembly 31, the anvil head 14 will not pivot fully until the anvil and shell assemblies have been unapproximated a distance sufficient to allow the anvil head to fully pivot.」（明細書第３６頁第１９行〜第３７頁第８行）（従って、発射トリガー２０が、遠位方向に移動される場合、プッシャーリンク７４は、遠位方向に移動されて、シェルアセンブリ３１内のプッシャーバック１８６の前進をもたらす。プッシャーバック１８６のフィンガー１９０は、ステープル２３０を係合し、そしてステープルガイド１９２からステープル２３０を射出する。
　円柱状のナイフ１８８は、プッシャーバック１８６と同時に移動され、その結果、このナイフ１８８は、カッティングリング１２８とバックアッププレート１２６との係合部へと移動する。上で議論したように、カッティングリング１２８は、好ましくは、ポリエチレンから形成され、そしてバックアッププレート１２６は、好ましくは、金属から形成される。ナイフ１８８がカッティングリング１２８を係合する場合、ナイフ１８８は、カッティングリング１２８を切り開き、そしてプッシャーバックアッププレート１２６を、アンビルヘッド１２４へと深く押し込んで、センターロッド１５４の頂部表面１５４ａ（図１６Ｂ）との係合部から、タブ１５０を移動させる。ここで、アンビルヘッド１２４は、部材１６４の周りを自由に旋回し、そしてプランジャー１５６により行われるように進められる（図２４Ｆ）。アンビルアセンブリは、シェルアセンブリ３１と並列して整列するので、このアンビルヘッド１４は、このアンビルアセンブリおよびシェルアセンブリが、このアンビルヘッドを完全に旋回させるのに十分な距離に離れるまで、完全に旋回しないことが注目される。（第１８頁第２３〜４０行））
（レ）「FIGS. 24-24H illustrates surgical stapling device 10 after it has been fired and unapproximated. As illustrated, anvil head 124 has been moved to the pivoted position by plunger 156 (FIGS. 24E and 24F).」（明細書第３８頁第４〜６行）（図２４〜２４Ｈは、発射され、そして離れた後の、外科用ステープルデバイス１０を示す。図示されるように、アンビルヘッド１２４は、プランジャー１５６により、旋回位置まで移動される（図２４Ｅおよび２４Ｆ）。（第１９頁第１５〜１８行））
（ソ）「Referring to FIGS. 24G and 24H, ・・・（中略）・・・ at the point of unapproximation at which anvil head 124 pivots (FIG. 24F). This contact between screw stop 306 and tactile indicator 580 provides a tactile and/or audible indication to a surgeon that the anvil head 124 has tilted and the device can be removed from the patient.」（明細書第３８頁第１４〜１９行）（図２４Ｇおよび２４Ｈを参照して、・・・（中略）・・・この地点で、アンビルヘッド１２４は旋回する（図２４Ｆ）。ネジストップ３０６と触覚インジケーター５８０との間のこの接触は、外科医に、アンビルヘッド１２４が傾き、そしてデバイスが患者から取り出されるという、触覚指標および／または可聴指標を提供する。」（第１９頁第２７〜３３行））
　
　これらの記載事項及び図示内容を総合すると、引用文献３には、次の事項が記載されている。
　アンビルヘッド１２４がセンターロッド１５４、部材１６４等含むセンターロッド組立体に自由に旋回するように取り付けられ、該アンビルヘッド１２４を該センターロッド組立体に対して、ステープル２３０を射出する位置と旋回位置との間で旋回するための構造であって、該旋回位置でアンビルヘッド１２４が傾きデバイスが患者から取り出される構造と、外科用ステープルデバイス１０が発射されアンビルヘッド１２４がシェルアセンブリ３１から離れた後、該センターロッド組立体への旋回取り付けにより該旋回位置への該アンビルヘッド１２４の旋回を可能にする構造を備えている点。
　
（４）同じく拒絶理由通知において引用された、特表平１−５００９６６号公報（以下、「引用文献４」という。）には、図面と共に次の事項が記載されている。
（ツ）「第２図に示した半球僧帽状の外面１１とクランプ変形面１２とを有する逆圧板７は孔１３を介して消息子１４と連結され、かつクランプ変形面１２の範囲ではピン１５と連結される。該ピンは自由端部に、軸方向に対して垂直に突出する位置決めラグ１６を有している。抛物面状に湾曲した外面１８と底面１９とを有するカバーキヤツプ１７には、前記位置決めラグ１６のためのガイド溝２１を有する中心孔２０が設けられている。前記ガイド溝２１と位置決めラグ１６とは、バヨネツト式締結機構として構成された差込み継手２２を形成する。
　クランプマガジン１０から突出するマンドレル６は、ねじ山２３を介して、差込み継手部分として構成された円筒状部分２５と結合されており、該円筒状部分はピン１５を受容するために設けられかつ位置決めピン１６を嵌入するためのバヨネツトガイド溝２６を有している。従ってカバーキヤツプ７のピン１５も、マンドレル端部と差込み継手部分２４と共に差込み継手２２を形成している。本発明の方法を実施するために、消息子１４とすでに連結された逆圧板７は差込み継手２２を介してカバーキヤツプ１７と連結され、その場合カバーキヤツプ１７の底面１９はクランプ変形面１２に当接せしめられる。この卵形の複合体７，１７は消息子１４（該消息子１４の、導入のための端部は第３図に示されている）を介して、吻合すべき中腔性器管内へ、巾着縫合部を有する端部へ向って導入される。逆圧板７が正しい位置に達すると直ちに、いまは中腔性器管端部から突出しているカバーキヤツプ１７は、差込み継手２２の縦軸線を中心として回動することによって逆圧板７から解離される。クランプ縫合器１はその間に、他方の中腔性器管内へ、クランプマガジン１０が正しい位置に達するまで導入されている。カバーキヤツプ１７の解離後に、ピン１５を円筒状部分２５内へ挿入し次いでクランプ縫合器ｌを僅かに回動することによって、マンドレル端部と逆圧板７は連結される。次いで、すでに述べた公知の方式でマンドレル６のまわりで中腔性器管端部間の結合が行われる。結合を行ったのち逆圧板７は、消息子１４を解離しつつクランプ縫合器１と共に、もしくは差込み継手２２を解離しつつ消息子１４を介して中腔性器管から逆方向にガイドされる。」（公報第５頁左上欄第３行〜右上欄第１８行）
　
　この記載事項及び図示内容を総合すると、引用文献４には次の事項が記載されている。
　ピン１５が連結された逆圧板７を中腔性器管内に挿入するために、逆圧板７の孔１３に取り外し自在に取り付け可能な消息子１４を備える点。
　
（５）同じく拒絶理由通知において引用された、米国特許第６１０２２７１号明細書（以下、「引用文献５」という。）には、図面と共に次の事項が記載されている（和文は当審による仮訳。）。
（ネ）「The preferred embodiment of the surgical stapling instrument 25 can be supplied to the surgeon as a component in a surgical kit for the removal of hemorrhoids. The kit should contain at least one surgical stapling instrument 25 of the present embodiment in combination with other surgical devices such as anal introducers 100, anoscopes 120, surgical instruments 140 to engage suture, suture 26, and the like. Also, in another embodiment, it is possible to provide a surgical kit having a conventional circular stapler in combination with the other surgical devices listed above.」（明細書第１１欄第５５〜６４行）（外科用ステープリング装置２５の好ましい具体例は、痔疾を除去するための外科用キットの中の１つの構成要素として、外科医に供給されることである。キットは、肛門挿入器１００、肛門鏡１２０、縫合を施すための外科用器具１４０、縫合用の糸２６のような他の外科用装置と組み合わせて、少なくとも先の具体例の外科用ステープリング装置２５を含むべきである。また、別の具体例として、上記の他の外科用装置と組み合わせた従来の円形縫合器を有する外科用キットを提供されうる。）
　
　この記載事項及び図示内容を総合すると、引用文献５には、次の事項が記載されている。
　生体の管腔臓器における患部を治療するためのキットが、外科用ステープリング装置２５と、肛門挿入器１００、肛門鏡１２０、縫合を施すための外科用器具１４０、縫合用の糸２６のような他の外科用装置とを組み合わせた、痔疾を除去するための外科用キットである点。
　
４　対比・判断
４−１　本願発明１について
４−１−１　対比
　本願発明１と引用発明とを対比する。
　引用発明の「管腔臓器の外科手術において用いる医療用縫合器１」は本願発明１の「外科用ステープリング装置」に相当する。
　引用発明の「操作部３」及び「挿入部４」は、本願発明１の「ハンドル組立体」及び「本体部分」に相当する。
　引用発明の「該操作部３から遠位端方向に延長する挿入部４」は本願発明１の「該ハンドル組立体から遠位方向に延びる本体部分」に相当する。
　引用発明の「トラカール１４とトラカール１４を覆う筒状のトラカールスリーブ１５」、「トラカール駆動機構」、「ステープル１９」、「挿入部ヘッド９」、「アンビル１１」、「筒状のアンビルシャフト１２」及び「アンビルヘッド５」は、それぞれ、本願発明１の「アンビル保持具」、「接近機構」、「ステープル」、「シェル組立体」、「アンビルヘッド」、「アンビルセンターロッドを備えるアンビルセンターロッド組立体」及び「アンビル組立体」に相当する。
　引用発明の「複数のステープル１９を収容する挿入部ヘッド９」は本願発明１の「複数のステープルを含むシェル組立体」に相当する。
　引用発明の「該トラカール１４とトラカール１４を覆う筒状のトラカールスリーブ１５に取り外すことができるように装着できる」は本願発明１の「該アンビル保持具に取り外し自在に取り付け可能な」に相当する。
　引用発明の「挿入部ヘッド９内に収容される該複数のステープル１９」、「挿入部ヘッド９側へ引き寄せられた該アンビル１１に向けて突き出すように」、「遠位端方向に移動させる」及び「ステープル突き出し機構」は、それぞれ、本願発明１の「シェル組立体内に支持される該複数のステープル」、「作動発射位置にある該アンビルヘッドとの接触に進行させる」、「遠位方向に移動可能な」及び「発射機構」に相当する。
　引用発明と本願発明１とは、外科用ステープリング装置を備えるものであるかぎりにおいて一致する。
　
　したがって、本願発明１と引用発明とは、「ハンドル組立体と、該ハンドル組立体から遠位方向に延びる本体部分と、アンビル保持具を含む接近機構と、複数のステープルを含むシェル組立体と、アンビルヘッドおよびアンビルセンターロッドを備えるアンビルセンターロッド組立体を備えるアンビル組立体であって、該アンビル保持具に取り外し自在に取り付け可能なアンビル組立体と、
　該シェル組立体内に支持される該複数のステープルを、該作動発射位置にある該アンビルヘッドとの接触に進行させる遠位方向に移動可能な発射機構と、
を含む外科用ステープリング装置を備えるもの。」である点で一致し、以下の点で相違する。
　
（相違点１）
　本願発明１は、発明を特定するために必要な事項（以下、「発明特定事項」という。）をとして内痔核を治療するためのキットであって、該キットは外科用ステープリング装置と、該アンビル組立体に取り外し自在に取り付け可能なアンビル組立体挿入用ハンドル、とを備え、該挿入用ハンドルは、握りノブ、該ノブから遠位方向に延びる実質的に剛体のシャフト、および前記アンビルセンターロッド内に形成された開口部内に受け入れられるように構成された移動止めを含むものであるのに対し、引用発明は、これらの発明特定事項を有していない点。
（相違点２）
　本願発明１は、発明特定事項として、アンビルヘッドがアンビルセンターロッド組立体に枢動自在に取り付けられるものであり、アンビルヘッドを該アンビルセンターロッド組立体に対して、作動発射位置と傾斜位置との間で枢動するための手段であって、該傾斜位置で該アンビルヘッドが低輪郭を提示し、患者の内側から該装置の通過を容易にする手段と、発射機構と協働し、該発射機構が該ステープルを発射するために遠位方向に移動した後、該アンビルセンターロッド組立体への枢動取り付けにより該傾斜位置への該アンビルヘッドの枢動を可能にする手段とを備えるものであるのに対し、引用発明は、アンビルヘッドがアンビルセンターロッド組立体に枢動自在に取り付けられるものでなく、それゆえに本願発明１に係るこれらの手段も有していない点。
　
４−１−２　判断
（相違点１について）
　最初に、引用文献１〜５に、本願発明１に係る、握りノブ、該ノブから遠位方向に延びる実質的に剛体のシャフト、および前記アンビルセンターロッド内に形成された開口部内に受け入れられるように構成された移動止めを含む挿入用ハンドルについての記載あるいは示唆がされているかどうかについて検討する。
　まず、引用文献１〜３及び５についてみてみる。
　上記３欄の（１）〜（３）及び（５）に記載した事項が記載されているにすぎず、挿入用ハンドルについての記載も示唆もないから、握りノブ、該ノブから遠位方向に延びる実質的に剛体のシャフト、および前記アンビルセンターロッド内に形成された開口部内に受け入れられるように構成された移動止めを含む挿入用ハンドルについての記載も示唆もない。
　次に、引用文献４についてみてみる。
　当該刊行物には、上記３欄の（４）に記載したとおり、ピン１５が連結された逆圧板７を中腔性器管内に挿入するために、逆圧板７の孔１３に取り外し自在に取り付け可能な消息子１４を備える点が記載されている。そして、上記記載の「ピン１５」と「逆圧板７」とは、それぞれ本願発明１の「アンビルセンターロッド」と「アンビルヘッド」に対応し、同様に、これら「ピン１５」と「逆圧板７」とからなる部分が「アンビルセンターロッド組立体」に、「消息子１４」は「アンビル組立体挿入用ハンドル」に対応すると認められる。
　しかしながら、引用文献４に記載のものは、逆圧板７が孔１３を有し、消息子１４は、ピン１５でなく孔１３に取り外し自在に取り付け可能に構成されたものであるから、消息子１４が、本願発明１の「アンビルセンターロッド内に形成された開口部内に受け入れられるように構成された移動止め」を有しているといえないことは明らかである。
　よって、引用文献４にも、握りノブ、該ノブから遠位方向に延びる実質的に剛体のシャフト、および前記アンビルセンターロッド内に形成された開口部内に受け入れられるように構成された移動止めを含む挿入用ハンドルについての記載も示唆もない。
　
　以上のとおり、いずれの引用文献にも、本願発明１に係る、握りノブ、該ノブから遠位方向に延びる実質的に剛体のシャフト、および前記アンビルセンターロッド内に形成された開口部内に受け入れられるように構成された移動止めを含む挿入用ハンドルについての記載も示唆もない。
　したがって、引用文献１〜５に記載された発明に基づき、引用発明を本願発明１の相違点１に係る発明特定事項を有するものとすることは当業者が容易になし得る事項といえない。
　
４−１−３　小括
　よって、本願発明１は、相違点２について検討するまでもなく、引用発明及び引用文献２〜５に記載された発明に基いて、当業者が容易に発明をすることができたとはいえない。
　
４−２　本願発明２〜７について
　本願発明２〜７は、本願発明１の発明特定事項を、それらの発明特定事項の一部とするものであるから、上記４−１欄に記載した理由と同様の理由により、引用発明及び引用文献２〜５に記載された発明に基いて、当業者が容易に発明をすることができたものとすることはできない。
　
５　まとめ
　以上のとおり、本願については、原査定の拒絶理由を検討してもその理由によって拒絶すべきものとすることはできない。
　また、他に本願を拒絶すべき理由を発見しない。
　よって、結論のとおり審決する。